(57)【要約】【課題】【解決手段】複数の無線通信装置が、メモリカードに記憶されたディジタルファイルにアクセスすることを許可可能なメモリカードが提供される。メモリカードは、ディジタルカメラの外部にディジタルファイルを独立してエクスポートできない内蔵プロセッサを有するディジタルカメラに挿入されると、電気接続されるように構成されている。また、メモリカード上のディジタルファイルへのアクセスを許可する方法も提供される。【選択図】図１
2016506649.tif 000002
【特許請求の範囲】
【請求項１】
複数の無線通信装置が、メモリカードに記憶されたディジタルファイルにアクセスすることを許可可能なメモリカードであって、ディジタルカメラの外部にディジタルファイルを独立してエクスポートできない内蔵プロセッサを有する前記ディジタルカメラに挿入されると、電気接続されるように構成されているメモリカードであり、
前記メモリカードを制御する中央処理装置と、
前記ディジタルファイルを記憶する記憶モジュールと、
前記中央処理装置と前記記憶モジュールの両方に接続された無線トランシーバモジュールとを備える、メモリカードであって、
前記中央処理装置は、前記複数の無線通信装置のそれぞれのウェブブラウザにグラフィックユーザインタフェースを提供し、かつ前記複数の無線通信装置の中の第１の無線通信装置の前記グラフィックユーザインタフェースを使用して、ユーザから命令を受信するように構成されており、前記命令は、他の無線通信装置による前記記憶モジュールに記憶された前記ディジタルファイルへのアクセスを認めるためのものである、メモリカード。
【請求項２】
前記第１の無線通信装置は主装置として指定され、前記主装置は、前記複数の無線通信装置の中で最初に前記メモリカードと無線通信するか、又は前記複数の無線通信装置の中で最初に前記メモリカードによって認証される、請求項１に記載のメモリカード。
【請求項３】
前記メモリカードによる認証は、パスワード、個人識別番号、及び前記メモリカードに記憶された事前定義ＭＡＣアドレスに一致する前記第１の無線通信装置のＭＡＣアドレスのＩＤのうちの少なくとも１つを使用することを含む、請求項２に記載のメモリカード。
【請求項４】
前記命令は、前記他の無線通信装置の前記ウェブブラウザ上で閲覧するための前記記憶モジュールに記憶された複数の前記ディジタルファイルを選択する第１のモードである、請求項１乃至３のいずれか一項に記載のメモリカード。
【請求項５】
前記命令は、前記他の無線通信装置の前記ウェブブラウザで所定の順番で閲覧するために前記記憶モジュールに記憶された前記複数のディジタルファイルを選択する第２のモードである、請求項４に記載のメモリカード。
【請求項６】
前記記憶モジュールに記憶された前記複数のディジタルファイルを選択することは、前記選択されたファイルをリストにグループ分けすることを含み、前記リストは、前記他の無線通信装置によってアクセス可能である、請求項４又は５に記載のメモリカード。
【請求項７】
前記リストは、前記他の無線通信装置の前記ウェブブラウザによって読み取り可能なファイル書式で格納される、請求項６に記載のメモリカード。
【請求項８】
前記他の無線通信装置の前記ウェブブラウザ上での前記ディジタルファイルの閲覧は、前記第１の無線通信装置が、前記メモリカードへの前記命令の送信を停止した時に行われる、請求項４又は５に記載のメモリカード。
【請求項９】
複数の無線通信装置が、メモリカードの記憶モジュールに記憶されたディジタルファイルにアクセスすることを許可する方法であって、前記メモリカードは、ディジタルカメラの外部にディジタルファイルを独立してエクスポートできない内蔵プロセッサを有する前記ディジタルカメラに挿入されると、電気接続されるように構成されており、
前記複数の無線通信装置のそれぞれのウェブブラウザにグラフィックユーザインタフェースを提供することと、
前記複数の無線通信装置の中の第１の無線通信装置の前記グラフィックユーザインタフェースを使用して、他の無線通信装置による前記記憶モジュールに記憶された前記ディジタルファイルへのアクセスを認めるための命令を、ユーザから受け取ることと
を含む、方法。
【請求項１０】
前記複数の無線通信装置の中から前記第１が主装置として指定され、前記主装置は、前記複数の無線通信装置の中で最初に前記メモリカードと無線通信するか、又は前記複数の無線通信装置の中で最初に前記メモリカードによって認証される、請求項９に記載の方法。  
【請求項１１】
前記メモリカードによる認証は、パスワード、個人識別番号、及び前記メモリカードに記憶された事前定義ＭＡＣアドレスに一致する前記第１の無線通信装置のＭＡＣアドレスのＩＤのうちの少なくとも１つを使用することを含む、請求項１０に記載の方法。
【請求項１２】
前記命令は、前記他の無線通信装置の前記ウェブブラウザ上で閲覧するための前記記憶モジュールに記憶された複数の前記ディジタルファイルを選択する第１のモードである、請求項９乃至１１のいずれか一項に記載の方法。
【請求項１３】
前記命令は、前記他の無線通信装置の前記ウェブブラウザで所定の順番で閲覧するために前記記憶モジュールに記憶された複数の前記ディジタルファイルを選択する第２のモードである、請求項１２に記載の方法。
【請求項１４】
前記記憶モジュールに記憶された前記ディジタルファイルのうち少なくとも１つを選択することは、前記選択されたファイルをリストにグループ分けすることを含み、前記リストは、前記他の無線通信装置によってアクセス可能である、請求項１２又は１３に記載の方法。
【請求項１５】
前記リストは、前記他の無線通信装置の前記ウェブブラウザによって読み取り可能なファイル書式で格納される、請求項１４に記載の方法。
【請求項１６】
前記他の無線通信装置の前記ウェブブラウザ上での前記ディジタルファイルの閲覧は、前記第１の無線通信装置が、前記メモリカードへの前記命令の送信を停止した時に行われる、請求項１２又は１３に記載の方法。
【発明の詳細な説明】
【技術分野】
【０００１】
本発明は、メモリカードに記憶されたディジタルファイルへのアクセスを許可する方法と、メモリカードとに関する。
【背景技術】
【０００２】
メモリカードは、最近では、ディジタルカメラを用いて撮影したディジタルデータ用の一般的な記憶媒体である。これらのメモリカードの中には、無線通信能力を有し、かつディジタルデータの無線受信及び送信の両方が可能なものがある。
【０００３】
無線通信装置は一般的に、無線通信装置上で実行する「アプリ」を使用して無線通信能力を備えたメモリカードと通信する。この「アプリ」なしでは、無線通信装置はメモリカードに記憶されたディジタルデータにアクセスすることができない。
【０００４】
「アプリ」のインストールは、ユーザにとっては追加で不便なことであり、無線通信装置が互換性のあるオペレーティングシステムを有していないか、かつ／又はユーザが「アプリ」を取得するための追加費用を負担することを望まないため、「アプリ」を使用できないユーザもいる。さらに、この「アプリ」は、メモリカードのすべての可能な特徴を使用可能にするようには構成されてない場合もあり、そうなるとユーザに苛立たしさを感じさせる結果となり得る。
【０００５】
本発明は、上記段落に記載されている問題に対処することを目的とする。
【発明の概要】
【０００６】
現時点では、無線通信装置が他の全ての接続された無線装置に対して主制御機能を有することを可能にする「アプリ」は存在しない。
【０００７】
本発明では、複数の無線通信装置が、メモリカードに記憶されたディジタルファイルにアクセスすることを許可可能なメモリカードが提供される。このメモリカードは、ディジタルカメラの外部にディジタルファイルを独立してエクスポートできない内蔵プロセッサを有する前記ディジタルカメラに挿入されると、電気接続されるように構成される。
【０００８】
メモリカードは、前記メモリカードを制御する中央処理装置と、前記ディジタルファイルを記憶する記憶モジュールと、前記中央処理装置と前記記憶モジュールの両方に接続された無線トランシーバモジュールとを備える。前記中央処理装置は、前記複数の無線通信装置のそれぞれのウェブブラウザにグラフィックユーザインタフェースを提供し、かつ前記複数の無線通信装置の中の第１の無線通信装置の前記グラフィックユーザインタフェースを使用して、ユーザから命令を受信するように構成されることが好ましく、前記命令は、他の無線通信装置による前記記憶モジュールに記憶された前記ディジタルファイルへのアクセスを認めるためのものである。
【０００９】
前記第１の無線通信装置は主装置として指定することができ、前記主装置は、最初に前記メモリカードと無線通信するか、又は最初に前記メモリカードによって認証される。前記メモリカードによる認証は、例えば、パスワード、個人識別番号、及び前記メモリカード等に記憶された事前定義ＭＡＣアドレスに一致する前記第１の無線通信装置のＭＡＣアドレスのＩＤを使用することを含む。
【００１０】
前記命令は、前記他の無線通信装置の前記ウェブブラウザ上で閲覧するための前記記憶モジュールに記憶された複数の前記ディジタルファイルを選択する第１のモードであるか、又は前記他の無線通信装置の前記ウェブブラウザで所定の順番で閲覧するために前記記憶モジュールに記憶された複数の前記ディジタルファイルを選択する第２のモードのいずれかであり得る。さらに、前記他の無線通信装置の前記ウェブブラウザ上での前記ディジタルファイルの閲覧は、前記第１の無線通信装置が、前記メモリカードへの前記命令の送信を停止した時に行われることが好ましい。
【００１１】
前記記憶モジュールに記憶された前記複数のディジタルファイルを選択することは、前記選択されたファイルをリストにグループ分けすることを含むことが好ましく、前記リストは、前記他の無線通信装置によってアクセス可能であり、かつ前記リストは、前記他の無線通信装置の前記ウェブブラウザによって読み取り可能なファイル書式で格納される。
【００１２】
第２の態様では、複数の無線通信装置が、メモリカードの記憶モジュールに記憶されたディジタルファイルにアクセスすることを許可する方法が提供される。このメモリカードは、ディジタルカメラの外部にディジタルファイルを独立してエクスポートできない内蔵プロセッサを有する前記ディジタルカメラに挿入されると、電気接続されるように構成される。
【００１３】
この方法は、複数の無線通信装置のそれぞれのウェブブラウザにグラフィックユーザインタフェースを提供することと、前記複数の無線通信装置の中の第１の無線通信装置の前記グラフィックユーザインタフェースを使用して、他の無線通信装置による前記記憶モジュールに記憶された前記ディジタルファイルへのアクセスを認めるための命令を、ユーザから受け取ることとを含む。
【００１４】
前記第１の無線通信装置は主装置として指定することができ、前記主装置は、前記複数の無線通信装置の中で最初に前記メモリカードと無線通信するか、又は最初に前記メモリカードによって認証される。前記メモリカードによる認証は、例えば、パスワード、個人識別番号、及び前記メモリカード等に記憶された事前定義ＭＡＣアドレスに一致する前記第１の無線通信装置のＭＡＣアドレスのＩＤを使用することを含む。
【００１５】
前記命令は、前記他の無線通信装置の前記ウェブブラウザ上で閲覧するための前記記憶モジュールに記憶された複数の前記ディジタルファイルを選択する第１のモードか、又は前記他の無線通信装置の前記ウェブブラウザで所定の順番で閲覧するために前記記憶モジュールに記憶された複数の前記ディジタルファイルを選択する第２のモードのいずれかであり得る。さらに、前記他の無線通信装置の前記ウェブブラウザ上での前記ディジタルファイルの閲覧は、前記第１の無線通信装置が、前記メモリカードへの前記命令の送信を停止した時に行われることが好ましい。
【００１６】
前記記憶モジュールに記憶された前記複数のディジタルファイルを選択することは、前記選択されたファイルをリストにグループ分けすることを含むことが好ましく、前記リストは、前記他の無線通信装置によってアクセス可能であり、かつ前記リストは、前記他の無線通信装置の前記ウェブブラウザによって読み取り可能なファイル書式で格納される。
【図面の簡単な説明】
【００１７】
本発明が十分に理解され、直ちにその実用的効果を発揮されるように、ここで本発明の好適実施形態のみを非制限的な例によって、添付の説明図を参照して説明する。
【図１】図１は、使用中の本発明のメモリカードの概略図を示す。
【図２】図２は、本発明の方法のプロセスフローを示す。
【図３】図３は、図２の方法の第１のモードのプロセスフローを示す。
【図４】図４は、図２の方法の第２のモードのプロセスフローを示す。
【発明を実施するための形態】
【００１８】
本発明は、メモリカードに記憶されているディジタルファイルにアクセスすることを許可するために、無線通信装置のウェブブラウザにグラフィックユーザインタフェースを提供することが可能であるメモリカードに関する。主装置は、これもまたメモリカードに接続されている他の無線通信装置上で、どのディジタルファイルが閲覧できるか、及びこれもまたメモリカードに接続されている他の無線通信装置上で、どのディジタルファイルが所定の順番で閲覧できるかを制御可能なメモリカードに無線接続する。以下の説明では、ディジタルファイルとは、例えば画像ファイル、音楽ファイル、映像ファイル等に関し得る。
【００１９】
図１では、複数の無線通信装置１６、１８が、メモリカード２０に記憶されたディジタルファイルにアクセスすることを許可可能なメモリカード２０を示している。メモリカード２０は、ディジタルカメラ４０の外部にディジタルファイルを独立してエクスポートできない内蔵プロセッサ４２を有するディジタルカメラ４０に挿入されると、電気接続されるように構成されている。ディジタルカメラ４０は、ＲＡＭ４６及びディスプレイ４８も含む。ディジタルカメラ４０のディスプレイ４８は、タッチセンサー式パネルでもよく、かつディスプレイ４８上に示されるグラフィックユーザインタフェースを介してディタルカメラ４０を制御するために使用することができる。
【００２０】
メモリカード２０は、中央処理装置２４に動作可能に接続された無線トランシーバモジュール２２を含み、中央処理装置２４はメモリカード２０を制御するものである。メモリカードは、ディジタルファイルを記憶する記憶モジュール２６も含む。無線トランシーバモジュール２２は、中央処理装置２４と記憶モジュール２６の両方に接続される。メモリカード２０は、メモリカード２０がディジタルカメラ４０に動作可能に接続することができるように、ディジタルカメラ４０のカードインタフェース４４と通信するカードインタフェース２８も含む。メモリカード２０は、メモリカード２０がディジタルカメラに動作可能に接続された時に、ディジタルカメラ４０によって電力が供給される。
【００２１】
複数の無線通信装置１６、１８は、メモリカード２０に記憶されたディジタルデータにアクセスするためにメモリカード２０と通信可能である。メモリカード２０と通信するため、複数の無線通信装置１６、１８のそれぞれを用いて、メモリカード２０に英数字のパスワードを入力する必要があり得る。無線通信装置１６、１８のそれぞれは、例えば、携帯電話、携帯用コンピュータ、タブレット式コンピュータ等であり得る。無線通信装置１６、１８ のそれぞれは、無線インタフェース１２と、ウェブブラウザ１４と、ディスプレイ１５とを含む。ウェブブラウザ１４は、各無線通信装置１６、１８のディスプレイ１５を用いて閲覧可能である。ディスプレイ１５は、タッチセンサー式パネルであり得る。
【００２２】
無線通信装置１６、１８はメモリカード２０に無線接続され、中央処理装置２４は、複数の無線通信装置１６、１８のそれぞれのウェブブラウザ１４にグラフィックユーザインタフェースを提供するように構成されている。中央処理装置２４はまた、第１の無線通信装置１６のグラフィックユーザインタフェースを用いて、ユーザから命令を受信するように構成されており、この命令は、他の無線通信装置１８による記憶モジュール２６に記憶されたディジタルファイルへのアクセスを認めるためのものである。この命令は、他の無線通信装置１８のウェブブラウザ１４上で閲覧するための複数の記憶モジュール２６に記憶された複数のディジタルファイルを選択する第１のモードか、又は他の無線通信装置１８のウェブブラウザ１４で所定の順番で閲覧するために記憶モジュール２６に記憶された複数のディジタルファイルを選択する第２のモードである。当然のことながら、ディジタルファイルを閲覧するための所定の順番は、第１の無線通信装置１６のユーザによって「オンザフライで」考案することができる。第１及び第２のモードのさらなる詳細については、図３及び図４の説明の際に記載する。
【００２３】
第１の無線通信装置１６は主装置として指定され、主装置は、複数の無線通信装置１８の中で最初にメモリカード２０と無線通信するか、又は複数の無線通信装置１８の中で最初にメモリカード２０によって認証される。当然のことながら、複数の無線通信装置の中で最初にメモリカード２０と無線通信するとは、メモリカード２０が起動される都度という意味で使われている。メモリカード２０による認証は、例えば、パスワード、個人識別番号、及びメモリカード２０等に記憶された事前定義ＭＡＣアドレスに一致する第１の無線通信装置１６のＭＡＣアドレスのＩＤを使用することを伴う公知の技術を用いて実施することができる。
【００２４】
主装置（第１の無線通信装置１６）のユーザが、記憶モジュール２６に記憶されているディジタルファイルのうちの少なくとも１つを選択した場合、選択されたディジタルファイルは、リストにグループ分けされる。リストのコンテンツは、他の無線通信装置１８によってアクセス可能である。リストは、他の無線通信装置１８のウェブブラウザ１４によって読み取り可能なファイル書式で格納することができる。他の無線通信装置１８のウェブブラウザ１４上での選択されたディジタルファイルの閲覧は、第１の無線通信装置１６が、メモリカード２０への命令の送信を停止した時に行われる。それは、主装置（第１の無線通信装置１６）のユーザが、意図したタスクを実行できるようにするためである。他の無線通信装置１８がメモリカード２０からの従前のリストに既にアクセス可能である場合、第１の無線通信装置１６がメモリカード２０への命令の送信を停止する前に、他の無線通信装置１８のウェブブラウザ１４上で選択されたディジタルファイルを閲覧することができる。
【００２５】
当然のことながら、メモリカード２０の記憶モジュール２６に記憶されたコンテンツは、主装置のユーザによって決定される態様でアクセス可能である。よって、主装置のユーザは、他の無線通信装置１８のウェブブラウザ１４上でどのディジタルファイルが閲覧可能であるかを制御可能であり、かつ他の無線通信装置１８のウェブブラウザ１４上でディジタルファイルが閲覧される順番を制御することすら可能である。各無線通信装置に「アプリ」をインストールせずに、かつディジタルカメラ４０のインタフェースを改変する必要なしに、他の無線通信装置１８のウェブブラウザ１４上で何が閲覧可能かを制御できるということは、便利である。
【００２６】
図２では、上記の段落で説明した通り、複数の無線通信装置１６、１８が、メモリカード２０の記憶モジュール２６に記憶されたディジタルファイルにアクセスすることを許可する方法１００が示されている。メモリカード２０と通信するため、複数の無線通信装置１６、１８のそれぞれを用いて、メモリカード２０に英数字のパスワードを入力する必要があり得る。方法１００は、複数の無線通信装置１６、１８のそれぞれのウェブブラウザ１４にグラフィックユーザインタフェースを提供することを含む（１０２）。その後、方法１００は、第１の無線通信装置１６のグラフィックユーザインタフェースを用いて、ユーザから命令を受信することを含み、この命令は、他の無線通信装置１８によるメモリカード２０の記憶モジュール２６に記憶されたディジタルファイルへのアクセスを認めるためのものである（１０４）。
【００２７】
この命令は、他の無線通信装置１８のウェブブラウザ１４上で所定の順番で閲覧するため記憶モジュール２６に記憶された複数のディジタルファイルを選択する第１のモードか（１０８）、又は他の無線通信装置１８のウェブブラウザ１４上で閲覧するために記憶モジュール２６に記憶されたディジタルファイルのうち少なくとも１つを選択する第２のモードである（１０６）。当然のことながら、ディジタルファイルを閲覧するための所定の順番は、第１の無線通信装置１６のユーザによって「オンザフライで」考案することができる。第１及び第２のモードのさらなる詳細については、図３及び図４の説明の際に記載する。
【００２８】
第１の無線通信装置１６は主装置として指定され、主装置は、複数の無線通信装置１８の中で最初にメモリカード２０と無線通信するか、かつ／又は複数の無線通信装置１８の中で最初にメモリカード２０によって認証される。当然のことながら、複数の無線通信装置の中で最初にメモリカード２０と無線通信するとは、メモリカード２０が起動される都度という意味で使われている。メモリカード２０による認証は、例えば、パスワード、個人識別番号、及びメモリカード２０等に記憶された事前定義ＭＡＣアドレスに一致する第１の無線通信装置１６のＭＡＣアドレスのＩＤを使用することを伴う公知の技術を用いて実施することができる。
【００２９】
方法１００では、主装置（第１の無線通信装置１６）のユーザが、記憶モジュール２６に記憶されているディジタルファイルのうちの少なくとも１つを選択した場合、選択されたディジタルファイルは、リストにグループ分けされる。リストは、他の無線通信装置１８のウェブブラウザ１４によって読み取り可能なファイル書式で格納することができる。リストのコンテンツは、他の無線通信装置１８によってアクセス可能である。他の無線通信装置１８のウェブブラウザ１４上での選択されたディジタルファイルの閲覧は、第１の無線通信装置１６が、メモリカード２０への命令の送信を停止した時に行われる。それは、主装置（第１の無線通信装置１６）のユーザが、意図したタスクを実行できるようにするためである。他の無線通信装置１８がメモリカード２０からの従前のリストに既にアクセス可能である場合、第１の無線通信装置１６がメモリカード２０への命令の送信を停止する前に、他の無線通信装置１８のウェブブラウザ１４上で選択されたディジタルファイルを閲覧することができる。
【００３０】
当然のことながら、方法１００を用いている間、メモリカード２０の記憶モジュール２６に記憶されたコンテンツは、主装置のユーザによって決定される態様でアクセス可能である。よって、主装置のユーザは、他の無線通信装置１８のウェブブラウザ１４上でどのディジタルファイルが閲覧可能であるかを制御可能であり、かつ他の無線通信装置１８のウェブブラウザ１４上でディジタルファイルが閲覧される順番を制御することすら可能である。各無線通信装置に「アプリ」をインストールせずに、かつディジタルカメラ４０のインタフェースを改変する必要なしに、他の無線通信装置１８のウェブブラウザ１４上で何が閲覧可能かを制御できるということは、便利である。
【００３１】
次に図３を参照して第１のモードを説明する。第１のモードは、他の無線通信装置１８のウェブブラウザ１４上で閲覧するために記憶モジュール２６に記憶されたディジタルファイルのうち少なくとも１つを選択することに関する。最初に、メモリカード２０の無線機能が起動される（１４０）。そして無線通信装置１６、１８は、メモリカード２０を検出する（１４２）。メモリカード２０と通信するため、複数の無線通信装置１６、１８のそれぞれを用いて、メモリカード２０に英数字のパスワードを入力する必要があり得る。
【００３２】
その後、接続された無線通信装置１６、１８の中から主装置が指定される（１４４）。主装置１６は、最初にメモリカード２０と無線通信するか、又は最初にメモリカード２０によって認証される。メモリカード２０による認証は、例えば、パスワード、個人識別番号、及びメモリカード２０等に記憶された事前定義ＭＡＣアドレスに一致する第１の無線通信装置１６のＭＡＣアドレスのＩＤを使用することを伴う公知の技術を用いて実施することができる。
【００３３】
そして、すべての接続された無線通信装置１６、１８は、接続された無線通信装置１６、１８のウェブブラウザ１４上で閲覧可能なグラフィックユーザインタフェースの第２の所定モードを選択する（１４６）。その後、主装置１６は、メモリカード２０内の記憶モジュール２６から少なくとも１つのディジタルファイルを選ぶために使用され、選ばれたディジタルファイルで、他の無線通信装置１８と共有するためのリストを形成する（１４８）。そして、命令により主装置６からの送信を停止すると、他の無線通信装置１８は、ウェブブラウザ１４上のディジタルファイルリストを閲覧することができる（１５０）。他の無線通信装置１８がメモリカード２０からの従前のリストに既にアクセス可能である場合、第１の無線通信装置１６がメモリカード２０への命令の送信を停止する前に、他の無線通信装置１８のウェブブラウザ１４上で選択されたディジタルファイルを閲覧することができる。
【００３４】
次に、図４を参照して第２のモードを説明する。第２のモードは、他の無線通信装置１８のウェブブラウザ１４上で所定の順番で閲覧するために記憶モジュールに記憶された複数のディジタルファイルを選択することに関する。最初に、メモリカード２０の無線機能が起動される（１２０）。そして無線通信装置１６、１８は、メモリカード２０を検出する（１２２）。メモリカード２０と通信するため、複数の無線通信装置１６、１８のそれぞれを用いて、メモリカード２０に英数字のパスワードを入力する必要があり得る。
【００３５】
その後、接続された無線通信装置１６、１８の中から主装置が指定される（１２４）。主装置１６は、最初にメモリカード２０と無線通信するか、又は最初にメモリカード２０によって認証される。メモリカード２０による認証は、例えば、パスワード、個人識別番号、及びメモリカード２０等に記憶された事前定義ＭＡＣアドレスに一致する第１の無線通信装置１６のＭＡＣアドレスのＩＤを使用することを伴う公知の技術を用いて実施することができる。
【００３６】
そして、すべての接続された無線通信装置１６、１８は、接続された無線通信装置１６、１８のウェブブラウザ１４上で閲覧可能なグラフィックユーザインタフェースの第１の所定モードを選択する（１２６）。その後、主装置１６は、他の無線通信装置１８への放送のためメモリカード２０内の記憶モジュール２６から少なくとも１つのディジタルファイルを選ぶために使用される（１２８）。そして、命令により主装置１６からの送信を停止すると、他の無線通信装置１８は、その少なくとも１つのディジタルファイルを「取り出す」（１３０）。
【００３７】
上記の説明では、本発明の好適実施形態が記載されているが、本発明から逸脱せずにデザイン又は構造の詳細につき多くのバリエーション又は修正を加え得ると、当業者らは理解するであろう。
【図１】
2016506649.tif 000003
【図２】
2016506649.tif 000004
【図３】
2016506649.tif 000005
【図４】
2016506649.tif 000006
【国際調査報告】
2016506649.tif 000007
2016506649.tif 000008
2016506649.tif 000009
2016506649.tif 000010